(57)【要約】【課題】利便性に優れたユーザインタフェースを備え、画像を含むファイルへのアクセスおよび画像を含むファイルをまとめる能力に優れた、電子ドキュメント処理装置、方法およびプログラムを提供する。【解決手段】電子ドキュメントデータが受け取られ、ユーザに表示される。ユーザはＧＵＩを介して、ドキュメント管理システムに保存されている所望の電子ドキュメントデータを、バインダ内に追加し、集める。電子ドキュメントデータは、バインダ内に配置されるとき、予め選択されたフォーマットに変換される。集められたバインダドキュメントは、個別のドキュメントとして保存、印刷、閲覧、および管理が可能になる。【選択図】図２
2007042092.tif 000002
【特許請求の範囲】
【請求項１】
電子ドキュメント全体またはこのドキュメントに含まれるページを表すデータである、電子ドキュメントデータを受け取る手段と、
受け取った前記電子ドキュメントデータを表すしるし（indicia）を生成する手段と、
生成されたしるしを表示するディスプレイ手段と、
このディスプレイ手段に表示するドキュメントバインダを表す画像を、生成する手段と、
前記電子ドキュメントデータから選択されたデータを、前記ドキュメントバインダに追加する指示を受け取るユーザインタフェース手段と、
前記ディスプレイ手段に表示する、前記ユーザインタフェース手段を介して受け取った前記指示にしたがって前記ドキュメントバインダに追加され、集められた前記電子ドキュメントデータの表示画像を、生成する手段と、
前記ドキュメントバインダに追加され、集められた前記電子ドキュメントデータを、選択されたドキュメントのフォーマットを包含するバインダデータに変換する手段と
を有することを特徴とする電子ドキュメント処理装置。
【請求項２】
前記電子ドキュメントデータから選択されたデータを、前記ドキュメントバインダに追加する指示は、ドラッグ・アンド・ドロップ・ユーザインタフェースを介して取得されることを特徴とする請求項１に記載の電子ドキュメント処理装置。
【請求項３】
前記電子ドキュメントデータから選択されたデータを、前記ドキュメントバインダに追加する指示は、カット・アンド・ペイスト・ユーザインタフェースを介して取得されることを特徴とする請求項１に記載の電子ドキュメント処理装置。
【請求項４】
前記電子ドキュメントデータのページから複数のバインダデータを生成する手段を、さらに有することを特徴とする請求項１に記載の電子ドキュメント処理装置。
【請求項５】
前記電子ドキュメントデータは、ドキュメント管理システムから受け取られることを特徴とする請求項１に記載の電子ドキュメント処理装置。
【請求項６】
ドキュメント管理システムに前記バインダデータを保存する手段を、さらに、有することを特徴とする請求項１に記載の電子ドキュメント処理装置。
【請求項７】
前記選択されたドキュメントのフォーマットは、タグ付き画像ファイル、またはモディファイド・モディファイド・リードフォーマット、またはポータブル・ネットワーク・グラフィックスフォーマット、またはポータブル・ドキュメント・フォーマット、またはジョイント・フォトグラフィック・エキスパート・グループフォーマットであることを特徴とする請求項１に記載の電子ドキュメント処理装置。
【請求項８】
電子ドキュメント全体またはこのドキュメントに含まれるページを表すデータである、電子ドキュメントデータを受け取るステップと、
受け取った前記電子ドキュメントデータを表すしるし（indicia）を生成するステップと、
生成されたしるしを表示するステップと、
この表示ステップで表示するドキュメントバインダを表す画像を、生成するステップと、
ユーザインタフェースを介して前記電子ドキュメントデータから選択されたデータを、前記ドキュメントバインダに追加する指示を受け取るステップと、
前記表示ステップで表示する、前記ユーザインタフェースを介して受け取った前記指示にしたがって前記ドキュメントバインダに追加され、集められた前記電子ドキュメントデータの表示画像を、生成するステップと、
前記ドキュメントバインダに追加され、集められた前記電子ドキュメントデータを、選択されたドキュメントのフォーマットを包含するバインダデータに変換するステップと
を含むことを特徴とする電子ドキュメント処理方法。
【請求項９】
前記電子ドキュメントデータから選択されたデータを、前記ドキュメントバインダに追加する指示は、ドラッグ・アンド・ドロップ・ユーザインタフェースを介して取得されることを特徴とする請求項８に記載の電子ドキュメント処理方法。
【請求項１０】
前記電子ドキュメントデータから選択されたデータを、前記ドキュメントバインダに追加する指示は、カット・アンド・ペイスト・ユーザインタフェースを介して取得されることを特徴とする請求項８に記載の電子ドキュメント処理方法。
【請求項１１】
前記電子ドキュメントデータのページから複数のバインダデータを生成するステップを、さらに含むことを特徴とする請求項８に記載の電子ドキュメント処理方法。
【請求項１２】
前記電子ドキュメントデータは、ドキュメント管理システムから受け取られることを特徴とする請求項８に記載の電子ドキュメント処理方法。
【請求項１３】
ドキュメント管理システムに前記バインダデータを保存するステップを、さらに、含むことを特徴とする請求項８に記載の電子ドキュメント処理方法。
【請求項１４】
前記選択されたドキュメントのフォーマットは、タグ付き画像ファイル、またはモディファイド・モディファイド・リードフォーマット、またはポータブル・ネットワーク・グラフィックスフォーマット、またはポータブル・ドキュメント・フォーマット、またはジョイント・フォトグラフィック・エキスパート・グループフォーマットであることを特徴とする請求項８に記載の電子ドキュメント処理方法。
【請求項１５】
プロセッサに、
電子ドキュメント全体またはこのドキュメントに含まれるページを表すデータである、電子ドキュメントデータを受け取る手順と、
ディスプレイにおいて表示する、前記受け取った前記電子ドキュメントデータを表すしるし（indicia）を生成する手順と、
前記ディスプレイにおいて表示する、ドキュメントバインダを表す画像を生成する手順と、
ユーザインタフェースを介して前記電子ドキュメントデータから選択されたデータを、前記ドキュメントバインダに追加する指示を受け取る手順と、
前記ディスプレイで表示する、前記ユーザインタフェースを介して受け取った前記指示にしたがって前記ドキュメントバインダに追加され、集められた前記電子ドキュメントデータの表示画像を、生成する手順と、
前記ドキュメントバインダに追加され、集められた前記電子ドキュメントデータを、選択されたドキュメントのフォーマットを包含するバインダデータに変換する手順と
を実行させることを特徴とする電子ドキュメント処理プログラム。
【請求項１６】
前記電子ドキュメントデータから選択されたデータを、前記ドキュメントバインダに追加する指示は、ドラッグ・アンド・ドロップ・ユーザインタフェースまたはカット・アンド・ペイスト・ユーザインタフェースを介して取得されることを特徴とする請求項１５に記載の電子ドキュメント処理プログラム。
【請求項１７】
前記電子ドキュメントデータのページから複数のバインダデータを生成する手順を、さらに含むことを特徴とする請求項１５に記載の電子ドキュメント処理プログラム。
【請求項１８】
前記電子ドキュメントデータは、ドキュメント管理システムから受け取られることを特徴とする請求項１５に記載の電子ドキュメント処理プログラム。
【請求項１９】
ドキュメント管理システムに前記バインダデータを保存する手順を、さらに、含むことを特徴とする請求項１５に記載の電子ドキュメント処理プログラム。
【請求項２０】
前記選択されたドキュメントのフォーマットは、タグ付き画像ファイル、またはモディファイド・モディファイド・リードフォーマット、またはポータブル・ネットワーク・グラフィックスフォーマット、またはポータブル・ドキュメント・フォーマット、またはジョイント・フォトグラフィック・エキスパート・グループフォーマットであることを特徴とする請求項１５に記載の電子ドキュメント処理プログラム。
【発明の詳細な説明】
【技術分野】
【０００１】
本発明は、電子ドキュメントの生成および管理のためのドキュメント処理装置、方法およびプログラムに関し、特に、利便性に優れたユーザインタフェースを備え、画像を含むファイルへのアクセスおよび画像を含むファイルをまとめる能力に優れた、電子ドキュメント処理装置、方法およびプログラムに関する。
【背景技術】
【０００２】
ドキュメント管理システムは、通常、様々なユーザによる多様な電子ドキュメントの作成、保存、追跡、および管理を可能にするコンピュータプログラムをベースとしている。様々なユーザがドキュメントのアクセスと作成ができるように、ドキュメント管理システムは、異なるユーザならびに版（edition）が反映されたドキュメントの複数コピーを維持する、バージョン制御を用いている。このようなバージョン制御は、一般に、バージョン番号または文字による指定を必要とする。ドキュメント管理システムに保存されたドキュメントは、その後、閲覧、編集、ダウンロード、および印刷が可能である。しかしながら効果的にドキュメントを管理するためには、ドキュメント管理システムは、Microsoft社のWord、Microsoft社のExcel、Corel社のWordPerfect等の、ドキュメントを生成するための外部アプリケーションを必要とする。それに加えて、ドキュメント管理システムに保存されているドキュメントにアクセスする各ユーザは、そのドキュメントが作成されたもの同じソフトウェアを有していなければならない。
【０００３】
ウェブベースのドキュメント作成ソフトウェアは、通常、ＰＮＧ、ＴＩＦＦ、ＪＰＥＧ、ＭＭＲ等の画像ファイルのページを、ユーザが閲覧し、操作し、処理することを許容する。この操作または処理は、一般に、そのページの印刷する機能を含む。しかしながら前記ウェブベースのドキュメント作成ソフトウェアは、画像の操作のための直感的なユーザインタフェースを備えていない。さらに、前記ドキュメント作成ソフトウェアは、ドキュメント管理システムにある画像ファイルへのアクセスおよび画像ファイルをまとめる（integrate）能力に欠けている。
【０００４】
したがって、ドキュメント管理システムにおける電子ドキュメントの生成および管理のための、利便性に優れたユーザインタフェースを備え、画像を含むファイルへのアクセスおよび画像を含むファイルをまとめる能力に優れた、電子ドキュメント処理装置、方法およびプログラムが求められている。
【発明の開示】
【発明が解決しようとする課題】
【０００５】
本発明は、上記の従来の問題点に鑑みてなされたもので、利便性に優れたユーザインタフェースを備え、画像を含むファイルへのアクセスおよび画像を含むファイルをまとめる能力に優れた、電子ドキュメント処理装置、方法およびプログラムを提供することを目的とする。
【課題を解決するための手段】
【０００６】
本発明による電子ドキュメント処理装置は、電子ドキュメント全体またはこのドキュメントに含まれるページを表すデータである、電子ドキュメントデータを受け取る手段と、  受け取った前記電子ドキュメントデータを表すしるし（indicia）を生成する手段と、生成されたしるしを表示するディスプレイ手段と、このディスプレイ手段に表示するドキュメントバインダを表す画像を、生成する手段と、前記電子ドキュメントデータから選択されたデータを、前記ドキュメントバインダに追加する指示を受け取るユーザインタフェース手段と、前記ディスプレイ手段に表示する、前記ユーザインタフェース手段を介して受け取った前記指示にしたがって前記ドキュメントバインダに追加され、集められた前記電子ドキュメントデータの表示画像を、生成する手段と、前記ドキュメントバインダに追加され、集められた前記電子ドキュメントデータを、選択されたドキュメントのフォーマットを包含するバインダデータに変換する手段とを有する。
【０００７】
また、本発明による電子ドキュメント処理装置においては、前記電子ドキュメントデータから選択されたデータを、前記ドキュメントバインダに追加する指示は、ドラッグ・アンド・ドロップ・ユーザインタフェースまたはカット・アンド・ペイスト・ユーザインタフェースを介して取得される。
【０００８】
本発明による電子ドキュメント処理装置は、パーソナルコンピュータ等のユーザ装置と適切なソフトウェアによって実装される。
【発明の効果】
【０００９】
本発明によれば、利便性に優れたユーザインタフェースを備え、画像を含むファイルへのアクセスおよび画像を含むファイルをまとめる能力に優れた、電子ドキュメント処理装置、方法およびプログラムが提供される。特に、多様なフォーマットが存在する画像データについて、ユーザが所望するフォーマットの画像データが得られる効果もある。
【発明を実施するための最良の形態】
【００１０】
以下、適宜、図面を参照しながら本発明による実施形態の説明を行う。図１は本発明による実施形態が適用されるシステムの構成例を示すブロック図である。図１に示すシステム１００は、少なくとも１つのユーザ装置１０２を含む。図１においては、パーソナルコンピュータをユーザ装置１０２として例示している。図中のパーソナルコンピュータはユーザ装置１０２の例として示しているにすぎず、この他の種類のユーザ装置についても本発明に適用することができる。ユーザ装置１０２は、通信リンク１０８を介してサーバ１０４と機能的に接続されている。通信リンク１０８は、電子装置間の通信のための任意の手段であり、例えば、インターネット、ＬＡＮ（ローカルエリアネットワーク）、ＷＡＮ（ワイドエリアネットワーク）、Ethernet（登録商標）ベースの接続、トークンリング接続、赤外線接続、Wi‐Fi接続、電話接続、携帯電話接続、Bluetooth（登録商標）接続等、あるいはそれらの通信手段の任意の組み合わせが含まれる。図１には、便宜上、１つのユーザ装置１０２しか示していないが、一般的には、システム１００は複数のユーザ装置を含み、それぞれのユーザ装置が、インターネット、ＬＡＮ、ＷＡＮ等のコンピュータネットワークを介してサーバ１０４にアクセスすることができる。
【００１１】
サーバ１０４は、記憶装置あるいは記憶媒体１０６とデータ通信を行う。一実施態様においては、記憶装置あるいは記憶媒体１０６がドキュメント管理システムまたはドキュメントデータベースを包含する。ドキュメント管理システムは、複数ドキュメントの作成、保存、および追跡を可能にする。また、ドキュメント管理システムは多様なフォーマットの複数ドキュメントを含む。本発明によれば、ユーザ装置１０２は、記憶装置あるいは記憶媒体１０６に保存されている１ないしは複数の電子ドキュメントを検索することができる。ここで、記憶装置あるいは記憶媒体１０６がサーバ１０４から空間的に分離されて配置されている必要はなく、サーバ１０４は、前記記憶装置あるいは記憶媒体１０６を内蔵することもある。記憶装置あるいは記憶媒体１０６は、本技術分野で周知の任意形式のデータストレージであり、例えば、ハードディスクドライブストレージ、光学ストレージ、フラッシュメモリ等が含まれる。
【００１２】
ユーザ装置１０２は、通信リンク１０８を介して記憶装置あるいは記憶媒体１０６にアクセスし、グラフィカルユーザインタフェース（graphical user interface；以後、ＧＵＩと言うことがある。）を介して内容を表示する。ＧＵＩについての詳細は後に述べる。サーバ１０４は、このデータ通信を手助けする。セキュリティを確保するために、ユーザ装置１０２による記憶装置あるいは記憶媒体１０６のドキュメント管理システムへのアクセスに先だって、ユーザ装置１０２の認証が、本技術分野で周知の任意の認証プロセスにしたがって、行われることがある。ユーザ装置１０２は、記憶装置あるいは記憶媒体１０６のドキュメント管理システムにアクセスすると、記憶装置あるいは記憶媒体１０６に保存されている電子ドキュメントを検索し、あるいは保存することが可能になる。
【００１３】
一実施態様においては、ユーザ装置１０２は、例えば、Microsoft社のWord、Corel社のWordPerfect等を含む、本技術分野で周知の任意のワードプロセッサプログラムを用いて、電子ドキュメントを生成する。生成された電子ドキュメントは、記憶装置あるいは記憶媒体１０６のドキュメント管理システムに保存される。一実施態様においては、サーバ１０４はウェブ対応（web-enabled）であり、ユーザ装置１０２は、本技術分野で周知の任意の適切なブラウザを介してサーバ１０４と通信する。電子ドキュメントをドキュメント管理システムに保存する場合には、ユーザは、例えば、英数字等の文字識別子等の、１または複数の識別要素（identifying element）の入力を要求される。一旦、ドキュメント管理システムに保存されると、保存された電子ドキュメントは適切に索引が付けられ、認証されたユーザに利用可能になる。
【００１４】
本発明によれば、ユーザ装置１０２がページまたはドキュメントを記憶装置あるいは記憶媒体１０６から検索し、検索したページまたはドキュメントは、アイコン、サムネール、タイル（tile）等の画像として閲覧することが可能である。それらの画像は、ユーザ装置１０２のＧＵＩ上で操作され、あちこち動かされて、新たな電子ドキュメントが作成される。また、本発明によれば、前記画像はドキュメントバインダに収められ、そのドキュメントバインダのエクスポート、印刷、電子メール、および保存を１つのドキュメントとして行うことができる。ユーザ装置１０２は、記憶装置あるいは記憶媒体１０６に常駐するドキュメント管理システムとの接続を、ブラウザを介して確立する。ドキュメント管理システムとの接続を確立すると、ユーザ装置１０２はページまたはドキュメントを要求し、要求したページまたはドキュメントは、ユーザ装置１０２のディスプレイに表示される。ユーザは、このディスプレイを介して、記憶装置あるいは記憶媒体１０６から検索したページまたはドキュメントから構成される新たな電子ドキュメントを生成することができる。
【００１５】
次に、本発明の実施形態による電子ドキュメント処理の動作を、図２を参照しながら説明する。図２は、本発明の実施形態による電子ドキュメントの処理の動作例を示すフローチャートである。まず、Ｓ２０２において、ユーザ装置１０２は、記憶装置あるいは記憶媒体１０６に保存されているドキュメント管理システムにアクセスする。前述したとおり、ユーザ装置１０２は、例えば、ウェブベースのブラウザ形式のＧＵＩを使用してドキュメント管理システムにアクセスする。ここで、本技術分野で周知の任意の適切なインターフェースを、本発明による実施形態のＧＵＩと組み合わせて実装することができることは明らかである。ドキュメント管理システムのセキュリティを確保するためには、記憶装置あるいは記憶媒体１０６へのアクセスに先だって、ユーザ装置１０２の認証を行う。ドキュメント管理システムにアクセスすると、ユーザ装置１０２は、Ｓ２０４において、ドキュメント管理システムからドキュメントを検索する。ユーザ装置１０２は、ドキュメント全体の検索に加えて、ドキュメント管理システムに保存されているドキュメントに含まれるページを抽出することができる。ドキュメント管理システムから検索した各ドキュメントまたはページは、ユーザ装置１０２のディスプレイ上のブラウザのＧＵＩに表示される。ユーザ装置１０２のディスプレイに表示されるＧＵＩについては、図３を参照しながら詳細な説明を後述する。
【００１６】
ドキュメントが検索されると、ユーザは、Ｓ２０６において、バインダに追加するドキュメントまたは個別のページを選択する。この選択は、例えば、クリック・アンド・ドラッグあるいはドラッグ・アンド・ドロップのやり方で、ユーザインタフェースを介して行うことができる。ユーザ装置１０２のディスプレイには、例えば、アイコン、サムネイル、タイル等の画像で、オリジナルのページまたはドキュメントを表す、しるし（indicia）が表示される。したがってユーザは、所望のドキュメントまたはページを表すしるし（indicia）をクリックすることによって、所望のドキュメントまたは個別のページを選択し、選択したしるしをバインダにドラッグする。他の実施態様においては、一般にカット・アンド・ペイストと呼ばれる標準的なメニュー駆動選択プロセスによって、所望のドキュメントまたは個別のページを選択することができる。ある実施態様においては、両方の選択手法が実装され、ユーザは、その好みに基づいていずれかのテクニックを択一的に選択することができる。
【００１７】
次いで、Ｓ２０８において、選択されたページまたはドキュメントが適切なフォーマットであるか否かの判断が行われる。本発明の実施形態によって生成されるバインダドキュメントは、タグ付き画像ファイルフォーマット（Tagged Image File Format；一般に、TIFFと呼ばれる。）、モディファイド・モディファイド・リード（Modified, Modified Read；MMR）フォーマット、ポータブル・ネットワーク・グラフィックス（Portable Network Graphics；PNG）フォーマット、ポータブル・ドキュメント・フォーマット（Portable Document Format；PDF）、およびジョイント・フォトグラフィック・エキスパート・グループ（Joint Photographic Experts Group；JPEG）フォーマット等の、ユーザが選択したドキュメントフォーマットを使用する。選択されたドキュメントまたはページが、バインダドキュメントと同一のフォーマットでない場合、例えば選択されたドキュメントまたはページがMicrosoft社のWordフォーマットの場合には、処理はＳ２１０に進み、選択されたページまたはドキュメントは、バインダドキュメントのフォーマットと同一のフォーマットに自動的に変換される。異なるドキュメントフォーマットへの変換は、あるファイルフォーマットから異なるファイルフォーマットに変換する、本技術分野で周知の任意の手段を使用して行われる。ここで、本発明において、バインダドキュメントをバインダデータと言うことがある。
【００１８】
適切なフォーマットへの変換処理がなされると、Ｓ２１２において、フォーマット変換されたドキュメントまたはページがバインダドキュメントに追加される。選択されたドキュメントまたはページが、バインダドキュメントのフォーマットと同じフォーマットで、既にドキュメント管理システムに保存されている場合には、処理はＳ２１２に進み、選択された前記ドキュメントまたはページがバインダドキュメントに追加される。
【００１９】
ドキュメントまたはページがバインダドキュメントに追加されると、Ｓ２１４において、他のドキュメントまたはページをバインダに追加するか否かの判断が行われる。追加するドキュメントまたはページが残っているときは、処理はＳ２０４に戻り、概要を前述したように、さらに追加するドキュメントまたはページの選択等の処理が続けられる。もはや、バインダドキュメントに追加するデータ、すなわちドキュメントまたはページが残っていないときには、処理はＳ２１６に進む。Ｓ２１６において、バインダドキュメントがドキュメント管理システムに出力され、保存される。
【００２０】
以上の処理がなされたバインダドキュメントは、そのユーザまたはその他のユーザによって、ドキュメント管理システムを介してアクセスが可能になる。バインダドキュメントを単一ドキュメントとしてユーザ装置１０２にエクスポートすること、ユーザ装置１０２から出力し、電子メール経由で転送すること、印刷することなどが可能になる。
【００２１】
ここで、バインダドキュメントあるいはバインダデータは、ドキュメントデータのページから複数、作成することができる。したがって、あるバインダデータが他のバインダデータセットにネスティングされることもある。すなわち、前記あるバインダデータの内容が、前記他のバインダデータセットの内容に含まれることがある。
【００２２】
これまで説明した本発明による実施形態が適用されるシステムおよび電子ドキュメント処理の動作は、ユーザによるバインダドキュメントの生成を容易にするＧＵＩを組み込んでいる。次に、本発明にしたがった実施形態のＧＵＩを、図３を参照しながら説明する。図３は、本発明の実施形態にしたがったＧＵＩを例示した画面３００を表している。画面３００は、ウェブベースのブラウザ、またはその他の適切なプログラムを介してユーザ装置１０２のディスプレイ上に表示される。図３に示されているとおり、画面３００は、ドキュメント管理システムのアクセス可能な内容を示す表示ユニット３０２、画像フォーマットでドキュメントの内容を示すドキュメント閲覧ユニット３０４、およびバインダドキュメントの内容を示すバインダ閲覧ユニット３０６を含む。展開可能なフォルダリスト３１０が表示ユニット３０２内に組み込まれており、ドキュメント管理システムのアクセス可能な内容を表示している。図に示されているとおり、フォルダリスト３１０は、１ないしは複数のメインフォルダまたはディレクトリを含む。それらのフォルダのそれぞれは、１ないしは複数のドキュメントを含む。図３に示されている状況においては、ドキュメント３１２がユーザによって選択されており、そのドキュメントの内容またはページがドキュメント閲覧ユニット３０４内に表示されている。選択されたドキュメント３１２のそれぞれのページが、タイル（tile）３１４、３１６、３１８、３２０、３２２、３２４、３２６、および３２８として表示されている。これらのタイルは、例えば、選択されたドキュメントのそれぞれの対応するページの内容を図示した画像表現である。フォルダリスト３１０からドキュメントが選択されると、選択されたドキュメントのページはドキュメント閲覧ユニット３０４内に表示される。
【００２３】
バインダ閲覧ユニット３０６には、バインダドキュメントに含まれているドキュメントまたはページが表示される。バインダドキュメントに組み入れるためにユーザによって選択されたドキュメントまたはページが、ページ画像としてバインダ閲覧ユニット３０６内に例示されている。図３に示されている状況においては、バインダドキュメントは３つのページ３３０、３３２、および３３４を含む。一実施態様においては、ページまたはドキュメントをクリックし、バインダ閲覧ユニット３０６にドラッグすることによってページまたはドキュメントがバインダドキュメントに追加される。図３に示すように、標準的なメニュー駆動技術の実装も同様に可能である。例えば閲覧ユニット３０６は、切り取りコマンドおよび貼り付けコマンドを含む種々の編集コマンドを組み込んだメニュー３０８を含む。この種のメニュー駆動コマンドは、限定の意図ではないが、図３に例示したコマンドを含む。
【００２４】
ユーザは、新しいバインダドキュメントへのページの追加を完了すると、［保存］ボタン３３６を選択して新しく作成したバインダをドキュメント管理システムに保存する。バインダドキュメントの保存は、ドキュメント管理システムのバージョン制御、英数字等の文字識別子を連携させる。さらにユーザは、［終了］ボタン３４０を選択することによって、現在のバインダを閉じることができる。あるいは［新規］ボタン３３８を選択することによって、新しい空のバインダドキュメントを作成することができる。画面３００のＧＵＩは、例えばブラウザを介して、ユーザがドキュメント管理システムにアクセスし、ドキュメントバインダの作成、編集、閲覧、印刷、およびダウンロードを行うことを可能にする。それぞれのバインダは、ドキュメントのページを表す画像を含む。
【００２５】
本発明は、ソースコード、オブジェクトコード、部分的にコンパイルされた形のようなコード中間ソースおよびオブジェクトコードの形、あるいは本発明の実施態様で使用するために適した任意の他の形のコンピュータプログラムに適用される。コンピュータプログラムは、独立アプリケーション、ソフトウェアコンポーネント、スクリプト、または他のアプリケーションへのプラグインとすることができる。本発明を組み込んだコンピュータプログラムは、例えば、ＲＯＭやＲＡＭなどの記憶媒体、ＣＤ−ＲＯＭなどの光記録媒体、フロッピー（登録商標）ディスクなどの磁気記録媒体などの、コンピュータプログラムを実行することができる任意の実体またはキャリアで、実施することができる。このキャリアは、電気ケーブルまたは光ケーブルによって、または無線や他の手段によって伝えられる電気信号や光信号などの任意の伝達可能なキャリアである。コンピュータプログラムは、サーバからインターネットを介して適切にダウンロードされる。また、コンピュータプログラムの機能は集積回路に組み込むこともできる。ここで示した本発明の原理を実質的にコンピュータまたはプロセッサに実行させるコードを含む任意およびすべての実施形態は、本発明の範囲内にある。
【００２６】
本発明の好ましい実施形態の以上の説明は、例示と説明のために行った。説明は網羅的でもなく、開示した厳密な形態に本発明を限定しようとするものでもない。以上の教示を鑑みて明らかな修正または変形が可能である。実施形態は、本発明の原理とその実際的な応用例を最もよく示し、それにより当業者が、本発明を、意図された特定の使用に適した様々な実施形態において様々な修正で使用できるように選択し、説明した。そのようなすべての修正と変形は、特許請求の範囲の記載に明示されるとおりの本発明の原理および範囲内において、当業者によって行われ得ることは明らかであり、特許請求の範囲の記載により定められる発明の範囲に含まれる。
【図面の簡単な説明】
【００２７】
【図１】本発明による実施形態が適用されるシステムの構成例を示すブロック図である。
【図２】本発明の実施形態による電子ドキュメントの処理の動作例を示すフローチャートである。
【図３】本発明による実施形態にしたがったグラフィカルユーザインタフェースを例示した画面である。
【符号の説明】
【００２８】
１００  システム
１０２  ユーザ装置、パーソナルコンピュータ
１０４  サーバ
１０６  記憶装置、記憶媒体
１０８  通信リンク
３００  画面
３０２  表示ユニット
３０４  ドキュメント閲覧ユニット
３０６  バインダ閲覧ユニット
３０８  メニュー
３１０  展開可能なフォルダリスト
３１２  選択されたドキュメント
３１４、３１６、３１８、３２０、３２２、３２４、３２６、３２８  タイル
３３０、３３２、３３４  ページ
３３６  保存ボタン
３３８  新規ボタン
３４０  終了ボタン
【図２】
2007042092.tif 000003
【図１】
2007042092.tif 000004
【図３】
2007042092.tif 000005